(57)【特許請求の範囲】
【請求項１】
カートリッジを交換可能に装填できるケースからなる塗膜転写具において、
カートリッジは少なくとも、基材テープ表面に塗膜を形成している転写テープが繰出しリールから転写ヘッドを介して巻取りリールに巻回されているものであり、
ケースは本体と蓋体からなり、本体は転写ヘッドが突出するための開口部位を有しており、蓋体は本体の開口部位に対して反対側に位置して回転開閉するものであり、
本体と蓋体の係止部があって、蓋体の開閉によってカートリッジが交換可能となり、
カートリッジと蓋体との間に設けたテーパ摺動部があり、
テーパ摺動部は、長方形突部とテーパ部からなり、
カートリッジに長方形突部を、ケースの蓋体にテーパ部を設けたもの、または、カートリッジにテーパ部を、ケースの蓋体に長方形突部を設けたものであり、
蓋体が閉じると長方形突部とテーパ部とが接触し、
転写ヘッドがケース内方向へ押されるときには長方形突部とテーパ部とが摺動して係止溝に係止爪が係って係止部がはずれない蓋体が閉まる方向のテーパ摺動部のテーパ形状であることを特徴とする塗膜転写具。
【請求項２】
カートリッジを交換可能に装填できるケースからなる塗膜転写具において、
カートリッジは少なくとも、基材テープ表面に塗膜を形成している転写テープが繰出しリールから転写ヘッドを介して巻取りリールに巻回されているものであり、
ケースは本体と蓋体からなり、本体は転写ヘッドが突出するための開口部位を有しており、蓋体は本体の開口部位に対して反対側に位置して回転開閉するものであり、
本体と蓋体の係止部があって、蓋体の開閉によってカートリッジが交換可能となり、
ケースの蓋体に設けた弾発部がカートリッジに当接して、開口部から突出している転写ヘッドがケース内方向へ後退して埋没してしまわない距離だけ後退して復帰する弾発部であり、
カートリッジと蓋体との間に設けたテーパ摺動部があり、
テーパ摺動部は、長方形突部とテーパ部からなり、
カートリッジに長方形突部を、ケースの蓋体にテーパ部を設けたもの、または、カートリッジにテーパ部を、ケースの蓋体に長方形突部を設けたものであり、
蓋体が閉じると長方形突部とテーパ部とが接触し、
転写ヘッドがケース内方向へ押されるときには長方形突部とテーパ部とが摺動して係止溝に係止爪が係って係止部がはずれない蓋体が閉まる方向のテーパ摺動部のテーパ形状であることを特徴とする塗膜転写具。
【発明の詳細な説明】
【技術分野】
【０００１】
本発明は、基材テープ表面に塗膜を形成している転写テープを、基材テープ背面から転写ヘッドにて押圧して、転写テープの塗膜を被転写面に転写させるために用いる自動巻取り式の塗膜転写具に関するものである。
【背景技術】
【０００２】
自動巻取り式の塗膜転写具は、塗膜の機能によって、いくつかの商品として販売されている。塗膜が誤字を隠蔽して修正するための白色隠蔽塗膜の場合は「修正テープ」として、紙などを貼り合わせるための粘着塗膜の場合は「のりテープ」として、絵柄などのマーク塗膜の場合は「テープマーカー」などとして販売されている。
【０００３】
塗膜転写具の機構として、転写テープを詰め替える方式と転写テープを使い切る方式のものがある。転写テープを詰め替える方式では、どのように詰め替えるかで、様々なタイプがある。転写テープが巻かれている繰出しリールだけを交換するタイプや、繰出しリールや塗膜転写後の基材テープを巻き取る巻取りリールなどが配置されたカートリッジを交換するタイプなどがある。
【０００４】
少なくとも転写テープが繰出しリールから転写ヘッドを介して巻取りリールに巻回されているカートリッジを交換するタイプとして、例えば特開２００２−０５９６９２号公報のような塗膜転写具がある。これは、蓋体がケース本体の後端開口部で回転開閉でき、前端開口部においてカートリッジの転写ヘッドが突出するものである。同じ構成で、特開２００４−２８４１７９号公報のように、係止部をケースではなくカートリッジと蓋体に設けたものもある。
【０００５】
転写テープを使い切る方式では、構成に自由度が増して、さらに様々なタイプがある。例えば特開２００８−２９０２５７号公報のように、転写テープを捻転させ傾斜させて転写ヘッドに導くことで、コンピュータの入力装置である「マウス」のように、上から軽く握るような使用を可能にしたタイプがある。特開２００９−０８３３９７号公報のように、転写ヘッドを格納している時は箱型になるタイプもある。筆記部分を出没可能にしたボールペンの機構のように、転写ヘッドを出没可能にしたタイプもある。
【０００６】
また、特開２００４−２９１２８４号公報や特開２００６−１２３５４４号公報のように、出没可能にしたタイプで、転写テープの詰め替えを可能にしたものもある。
【０００７】
他方、塗膜転写具は塗膜を転写するものであるので、基材テープ表面の塗膜が切断されて転写されなければならない。そのため、転写テープには塗膜の切れ性と転写性が要求されている。また、使用者にも転写を意識してもらうよう、塗膜転写具においても工夫がなされているものがある。
【０００８】
特願２０１０−１６８７６６号公報のように、転写を終了させるときに、塗膜転写具を被転写面に対して垂直に立てるなりして、さらに転写時よりも強く押圧したときに、切断を了知させる機構が作動して、切断したことを使用者に明確に意識させる工夫をしたものも開発されている。
【先行技術文献】
【特許文献】
【０００９】
【特許文献１】特開２００２−０５９６９２号公報
【特許文献２】特開２００４−２８４１７９号公報
【特許文献３】特開２００８−２９０２５７号公報
【特許文献４】特開２００９−０８３３９７号公報
【特許文献５】特開２００４−２９１２８４号公報
【特許文献６】特開２００６−１２３５４４号公報
【特許文献７】特願２０１０−１６８７６６号公報
【発明の概要】
【発明が解決しようとする課題】
【００１０】
特願２０１０−１６８７６６号公報にあるような切断了知機構を作動させるためには、強く押圧する必要がある。しかしながら、塗膜転写具が転写テープを詰め替える方式であり、特開２００２−０５９６９２号公報や特開２００４−２８４１７９号公報のように、転写ヘッドが突出するための開口部位を有する本体と、開口部位に対して本体の反対側に位置した蓋体が回転開閉するものである場合、強く押圧すると係止部がはずれて蓋体が開いてしまうことがあり、このような回転開閉する蓋体のある塗膜転写具には採用できていなかった。
【００１１】
特開２００６−１２３５４４号公報のように、回転開閉する蓋体でない塗膜転写具の場合は、少なくとも２箇所の係止部があり、強く押圧しても係止部がはずれて蓋体が開いてしまうことは滅多に起こらない。しかしながら、２箇所の係止部を解除して、蓋体を開く必要があり、交換作業において非常にわずらわしさがある。
【００１２】
また、特開２００４−２９１２８４号公報では、カートリッジ交換の際に、内部部品のばねがケースに固定されておらず、はずれて落ちてくることがあった。特開２００６−１２３５４４号公報では、交換するカートリッジにばねを使用しており、ばねは金属であり、リールやテープなどとは異なる材料なので分別廃棄などが必要であった。これらのようなわずらわしさがある。
【００１３】
さらに、特開２００４−２９１２８４号公報のように、細長い形状で筆記具を持つごとくに使用できる形状であると、筆記具で使い慣れているせいもあるのか、無意識により強く押圧してしまうことがある。そのような場合、転写ヘッドの長尺方向の支軸が折れるまたは転写ヘッドがはずれるという問題が起こる場合があった。
【００１４】
本発明が解決しようとする課題は、カートリッジの交換においてわずらわしさがなく、使用時に強く押圧しても、蓋体が開くことなく、その圧力を吸収して転写ヘッドへの問題を極力防止しているものである。さらには、切断を了知させるものである。
【課題を解決するための手段】
【００１５】
本発明は、カートリッジを交換可能に装填できるケースからなる塗膜転写具において、カートリッジは少なくとも、基材テープ表面に塗膜を形成している転写テープが繰出しリールから転写ヘッドを介して巻取りリールに巻回されているものであり、ケースは本体と蓋体からなり、本体は転写ヘッドが突出するための開口部位を有しており、蓋体は本体の開口部位に対して反対側に位置して回転開閉するものであり、本体と蓋体の係止部があって、蓋体の開閉によってカートリッジが交換可能となり、カートリッジと蓋体との間に設けたテーパ摺動部があり、テーパ摺動部は、長方形突部とテーパ部からなり、カートリッジに長方形突部を、ケースの蓋体にテーパ部を設けたもの、または、カートリッジにテーパ部を、ケースの蓋体に長方形突部を設けたものであり、蓋体が閉じると長方形突部とテーパ部とが接触し、転写ヘッドがケース内方向へ押されるときには長方形突部とテーパ部とが摺動して係止溝に係止爪が係って係止部がはずれない蓋体が閉まる方向のテーパ摺動部のテーパ形状であることを特徴とする塗膜転写具である。
【００１６】
また、本発明は、カートリッジを交換可能に装填できるケースからなる塗膜転写具において、カートリッジは少なくとも、基材テープ表面に塗膜を形成している転写テープが繰出しリールから転写ヘッドを介して巻取りリールに巻回されているものであり、ケースは本体と蓋体からなり、本体は転写ヘッドが突出するための開口部位を有しており、蓋体は本体の開口部位に対して反対側に位置して回転開閉するものであり、本体と蓋体の係止部があって、蓋体の開閉によってカートリッジが交換可能となり、ケースの蓋体に設けた弾発部がカートリッジに当接して、開口部から突出している転写ヘッドがケース内方向へ後退して埋没してしまわない距離だけ後退して復帰する弾発部であることを特徴とする塗膜転写具であり、さらには、カートリッジと蓋体との間に設けたテーパ摺動部があり、テーパ摺動部は、長方形突部とテーパ部からなり、カートリッジに長方形突部を、ケースの蓋体にテーパ部を設けたもの、または、カートリッジにテーパ部を、ケースの蓋体に長方形突部を設けたものであり、蓋体が閉じると長方形突部とテーパ部とが接触し、転写ヘッドがケース内方向へ押されるときには長方形突部とテーパ部とが摺動して係止溝に係止爪が係って係止部がはずれない蓋体が閉まる方向のテーパ摺動部のテーパ形状であることを特徴とするものである。
【発明の効果】
【００１７】
本発明により、カートリッジの交換においてわずらわしさがなく、使用時に強く押圧しても、蓋体が開くことなく、その圧力を吸収して転写ヘッドへの問題を極力防止しているものとなった。さらには、切断を了知させるものとなった。
【図面の簡単な説明】
【００１８】
【図１】カートリッジを示した説明図である。
【図２】左開きのケースを示した説明図である。
【図３】蓋体が左に開いたケースを示した説明図である。
【図４】実施例１のカートリッジを示した説明図である。
【図５】実施例１のケースを示した説明図である。
【図６】実施例１の塗膜転写具を示した説明図である。
【図７】実施例１の塗膜転写具を強く押圧した状態を示した説明図である。
【図８】実施例１の塗膜転写具の使用状態を示した説明図である。
【図９】参考例１のケースを示した説明図である。
【図１０】参考例１の塗膜転写具を示した説明図である。
【図１１】参考例１の塗膜転写具を強く押圧した状態を示した説明図である。
【図１２】参考例１の塗膜転写具の使用状態を示した説明図である。
【図１３】実施例２のケースを示した説明図である。
【図１４】実施例２の塗膜転写具を示した説明図である。
【図１５】実施例２の塗膜転写具を強く押圧した状態を示した説明図である。
【図１６】実施例２の塗膜転写具の使用状態を示した説明図である。
【図１７】実施例３のカートリッジを示した説明図である。
【図１８】実施例３のケースを示した説明図である。
【図１９】実施例３の塗膜転写具を示した説明図である。
【図２０】実施例３の塗膜転写具を強く押圧した状態を示した説明図である。
【図２１】実施例３の塗膜転写具の使用状態を示した説明図である。
【図２２】実施例４のケースを示した説明図である。
【図２３】実施例４の塗膜転写具を示した説明図である。
【図２４】実施例４の塗膜転写具を強く押圧した状態を示した説明図である。
【図２５】実施例４の塗膜転写具の使用状態を示した説明図である。
【図２６】右開きのケースを示した説明図である。
【図２７】右に蓋体が開いたケースを示した説明図である。
【図２８】実施例５のカートリッジを示した説明図である。
【図２９】実施例５のケースを示した説明図である。
【図３０】実施例５の塗膜転写具を示した説明図である。
【図３１】実施例５の塗膜転写具を強く押圧した状態を示した説明図である。
【図３２】実施例５の塗膜転写具の使用状態を示した説明図である。
【図３３】参考例２のケースを示した説明図である。
【図３４】参考例２の塗膜転写具を示した説明図である。
【図３５】参考例２の塗膜転写具を強く押圧した状態を示した説明図である。
【図３６】参考例２の塗膜転写具の使用状態を示した説明図である。
【図３７】実施例６のケースを示した説明図である。
【図３８】実施例６の塗膜転写具を示した説明図である。
【図３９】実施例６の塗膜転写具を強く押圧した状態を示した説明図である。
【図４０】実施例６の塗膜転写具の使用状態を示した説明図である。
【図４１】実施例７のカートリッジを示した説明図である。
【図４２】実施例７のケースを示した説明図である。
【図４３】実施例７の塗膜転写具を示した説明図である。
【図４４】実施例７の塗膜転写具を強く押圧した状態を示した説明図である。
【図４５】実施例７の塗膜転写具の使用状態を示した説明図である。
【図４６】実施例８のケースを示した説明図である。
【図４７】実施例８の塗膜転写具を示した説明図である。
【図４８】実施例８の塗膜転写具を強く押圧した状態を示した説明図である。
【図４９】実施例８の塗膜転写具の使用状態を示した説明図である。
【図５０】実施例９から実施例１２まで、および、参考例３と参考例４の弾発部の内部機構を示した説明図である。
【発明を実施するための形態】
【００１９】
各実施例において共通するカートリッジ１の構成について図１にて説明する。
【００２０】
図１は、カートリッジ１を示した説明図である。カートリッジ１は、少なくとも、基材テープ２表面に塗膜を形成している転写テープ３が、繰出しリール４から転写ヘッド５を介して巻取りリール６に巻回されているものである。ここでは、繰出しリール４と巻取りリール６の連動機構と逆転防止機構を有している。
【００２１】
基材テープとしては、グラシン紙等の紙基材や、ポリエチレンテレフタレート（ＰＥＴ）フィルム、ポリプロピレンフィルム、ポリエチレンフィルム等の合成樹脂基材のものを用いればよい。基材テープ表面上には離型層を設けてもよいし、基材自体を離型処理してもよい。
【００２２】
塗膜としては、修正塗膜、粘着塗膜、絵柄塗膜などの任意のものを形成することができる。また、これら以外の機能を持たせた機能性塗膜を形成することもできる。
【００２３】
繰出しリールと巻取りリールの連動機構としては一般的に、繰出しリールと巻取りリールのそれぞれに設けたギアの噛合によって連動させる機構や、Ｏリング等の無端状のゴムベルトによって連動させる機構などを用いることができる。また、このような連動機構においては、テープが余分に繰り出されたり巻き取られたりしないように、逆回転防止機構を備えている方が好ましい。
【００２４】
図のカートリッジ１は、平行な２枚の平面板７に挟まれた構成である。２枚の平面板７は透明であり、図面と平行に配置している。そのため図では、２枚の平面板７の境界線は重なっており、一方だけを表している。図面奥側と手前にある２枚の平面板７の間に、繰出しリール４や巻取りリール６などが配置されている。
【００２５】
２枚の平面板７を図面垂直につなぐ部位には、図面の左上から右下への斜線を施して断面のように表している。その部位としては、図面上側の接続板８、繰出しリール４の中心付近にある円筒形の繰出しリール中心軸９、巻取りリール６の中心付近にある円筒形の巻取りリール中心軸１０、繰出しリール４から繰出された転写テープ３を転写ヘッド５へ導くテープガイド１１、転写ヘッド５の動きを規制する２つの抑え壁１２、転写ヘッド５を支える円筒形の保持部１３がある。
【００２６】
テープガイド１１は、図面右側の平行板７の境界に設けている。そのため、繰出しリール４から繰り出された転写テープ３は、テープガイド１１で一旦、平行板７の右側境界よりも右外へ出るような配置となっている。そして、転写ヘッド５にて塗膜が転写された基材テープ２が、平行板７の左側境界より右内で巻取りリール６に巻き取られている。基材テープ２が巻き取られている部分は、図面手前の巻取りリール６側面にある径の大きな円形扇状の波形溝１４により見えていない。
【００２７】
円形扇状の波形溝１４は、図面垂直方向手前に立ち上がる垂直面とそこから斜めに下がる斜面からなる三角波形状であり、巻取りリール６側面の図面手前に円形扇状に形成している。図では、その波形溝１４の垂直面を外円周へ向かう直線で表している。この波形溝１４は、テープがたるんだりしたときに直すために利用する溝であり、カートリッジ１において平面板７より露出する部分を有する。
【００２８】
円形扇状の波形溝１４における平面板７より露出する部分は、図において平行板７の左側境界と右側境界よりそれぞれ外へ出ている部分である。一方の境界だけでなく、両側境界より外へ露出することで、使用者は２本の指で回すことができ、使用者の操作を容易にしたものである。なお、一方の境界だけでは指だけで回すことができないことがあり、筆記具の先などの細いものを使わなければならないことがあった。
【００２９】
転写ヘッド５は、平面板７の図面下側に設けられている。転写ヘッド５の内部構造や転写テープ３などの経路は、図面に平行である転写ヘッド５の不透明な側壁によって見えていないが、一般的なものである。図面最下部の転写ヘッド５の先端にて転写テープ３を押圧して塗膜を転写することができる。
【００３０】
また、転写ヘッド５は、平面板７内に向かって、太い支軸と細い支軸からなる。太い支軸部分で、転写ヘッド５の動きを規制する２つの抑え壁１２に挟まれている。細い支軸の端に図面垂直方向に対して円柱形状の支軸を有していて、その円柱支軸が円筒形の保持部１３によって保持されている。図では、点を施して表している。
【００３１】
ここでの連動機構はギアである。繰出しリール４の繰出しギア１５が中間ギア１６と噛合しており、その中間ギア１６が巻取りリール６の巻取りギアと噛合している。これらギアはリールの図面奥側にあり、繰出しギア１５と中間ギア１６の一部だけ見えている。巻取りリール６の巻取りギアは、図面手前の巻取りリール側面にある径の大きな円形扇状の波形溝１４により見えていない。これらギアの連動機構によって、自動巻取り式となる。
【００３２】
ここでの逆回転防止機構はラチェット構造のものである。図面奥側の繰出しギア１５側面と図面奥側の平面板内側との間に設けている。図で表していないが、繰出しギア１５側面にラチェットの爪があり、平面板内側にその爪が係る溝を円形扇状に設けている。このラチェットと爪によって、逆回転防止となっている。
【００３３】
円形扇状の波形溝１４を有する巻取りリール６は、その中心付近において、円筒形の巻取りリール中心軸１０で回動するものである。一方、繰出しリール４では、転写テープ３の巻かれた円筒形コア１７が図面奥側の繰出しギア１５の側面から図面垂直方向手前に形成された４つの接触部１８の爪に係っており、４つの接触部１８が繰出しリール４の中心付近にある円筒形の繰出しリール中心軸９で回動するものである。
【００３４】
ここで、一方向のみに回転するように、繰出しリール４と巻取りリール６の連動機構と逆転防止機構を設けているものである。転写ヘッド５にて塗膜を転写するために引き動かすことで、転写テープ３が繰出しリール４から繰り出され、巻取りリール６に巻き取られる方向に回転する。図では、繰出しリール４と巻取りリール６ともに時計回りに回転するものである。
【００３５】
４つの接触部１８は、リール外径方向の円筒形コア１７に向かって広がるような弾性を持っている。これにより、円筒形の繰出しリール中心軸９で回転して、弾性を持って円筒形コア１７に接するので抵抗があり、円筒形コア１７も一緒に回転することになる。その抵抗を超えるような大きな力がかかるときには、接触部１８が接している円筒形コア１７との間でスリップして、テープの切断などを防ぐことになる。また、接触部１８の爪が円筒形コア１７に係っており、図面手前に円筒形コア１７が抜けてこない。
【００３６】
なお、本発明におけるテーパ摺動部のテーパ形状は、後述する実施例のようなテーパ形状に限定されるものではない。転写ヘッドがケース内方向へ押されるときには蓋体が閉まる方向のテーパ形状であればよい。実施例にあるような鋭角直角三角形状を含むものだけでなく、例えば、実施例にあるような長方形突部を２つ用いて、それらの角度を変えて配置して、テーパ摺動（傾斜摺動）するようにしたものであってもよい。
【実施例１】
【００３７】
実施例１から実施例４まで、および、参考例１において共通するケース２０の構成について、図２と図３にて説明する。
【００３８】
図２は、左開きのケース２０を示した説明図である。カートリッジ１を交換可能に装填できるものであるが、カートリッジ１は装填しておらず、ケース２０だけである。このケース２０は使用者に使用しやすい立体的な形状を有するものであるが、図面上、平面的にしか表していない。
【００３９】
図では、ケース２０は透明である。ケース２０における図面垂直方向中央付近での断面に相当する部分には、図面の右上から左下への斜線を施して表している。斜線を施した部分はケース２０の外枠であり、本体２１と図面上側の蓋体２２からなる。本体２１の図面下側に開口部位２３を有している。
【００４０】
蓋体２２は本体２１の開口部位２３に対して反対側に位置して回転開閉する。ここでの回転開閉の機構はヒンジである。図面左側のヒンジ軸２４は、断面に相当する部分もあるが、図では斜線を施さず、透明で表している。
【００４１】
ヒンジと反対の図面右側に、本体と蓋体の係止部がある。係止部は、本体２１の係止溝２５とそれに係る蓋体２２の係止爪２６とからなる。係止を解除するために、係止解除突起２７を設けている。
【００４２】
図では、係止溝２５に係止爪２６が係っており、蓋体２２が閉じた状態である。ここで係止解除突起２７は、蓋体２２から伸びた係止爪２６のたわむ部分に設けている。係止解除突起２７を蓋体２２の内側へ押すことで、係止を解除することができる。これらにより、蓋体２２を開閉することができる。
【００４３】
なお、左開きとは、あくまで説明のための左右を意味するものであり、図面に表したケース２０において、図面に対して蓋体２２が左に開くことを意味するものである。
【００４４】
図３は、蓋体２２が左に開いたケース２０を示した説明図である。係止解除突起２７にて係止を解除して、蓋体２２をヒンジ軸２４を中心に回転させて、蓋体２２を左に開いた状態であり、図２のケース２０が開いた状態である。この図３の状態で、カートリッジ１が交換可能となる。
【００４５】
図４は、実施例１のカートリッジ１を示した説明図である。図１のカートリッジ１と同じ構成であり、それにテーパ摺動部の長方形突部３０を設けたものである。長方形突部３０は、図面手前の平面板７の外側（さらに図面手前）左に、平面板７上から図面垂直方向手前に出るように、厚みのある部位として設けている。細長い長方形状で、図面上側と下側の短い辺に丸みを持たせた形状である。図では、網模様を施して表している。この長方形突部３０には、テーパ（傾斜）形状はない。
【００４６】
図５は、実施例１のケース２０を示した説明図である。図２のケース２０と同じ構成であり、それにテーパ摺動部のテーパ部３１を設けたものである。テーパ部３１は、図面手前の蓋体２２の内側左に、蓋体２２内壁から図面垂直方向奥側へ出るように、厚みのある部位として設けている。鋭角下向きの直角三角形状で、図面下側の三角形鋭角部分に丸みを持たせた形状である。図では、網模様を施して表している。このテーパ部３１には、図面上側に向かってケース２０の図面左側へ広がるテーパ（傾斜）形状がある。
【００４７】
テーパ摺動部は、長方形突部３０とテーパ部３１からなる。それぞれは、カートリッジ１または蓋体２２のどちらかそれぞれに設けている。つまり、カートリッジ１と蓋体２２との間に設けたテーパ摺動部である。
【００４８】
図６は、実施例１の塗膜転写具５０を示した説明図である。図４のカートリッジ１を図５のケース２０の蓋体２２が図３のように左に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【００４９】
蓋体２２が閉じると、長方形突部３０とテーパ部３１とが、平面板７上からの厚みと蓋体２２内壁からの厚みによって接触するものである。この接触でカートリッジ１が固定される。
【００５０】
図７は、実施例１の塗膜転写具５０を強く押圧した状態を示した説明図である。図６の状態から、ケース２０を図面下向きに強く押圧した状態である。強く押圧すると、転写ヘッド５がケース２０内方向へ押され、ケース２０に対してカートリッジ１が図面上側へ押される。
【００５１】
すると、カートリッジ１と蓋体２２との間に設けたテーパ摺動部にて、長方形突部３０とテーパ部３１とが摺動することになる。長方形突部３０が、テーパ部３１のテーパ（傾斜）形状のところ（図面上側に向かってケース２０の図面左側へ広がっている部分）を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【００５２】
この図７の状態から、強く押圧するのをやめると、テーパ（傾斜）形状によって元の位置である図６の状態まで戻るものである。
【００５３】
図８は、実施例１の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【００５４】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【００５５】
図８のような通常の使用時であっても、筆記具のように使用できる形状であるので、無意識により強く押圧してしまうことがある。より強く押圧しても、図７のようにテーパ摺動部にて長方形突部３０とテーパ部３１とが摺動して、蓋体２２が閉まる方向に力がかかることになる。
【００５６】
このような構成であるので、カートリッジの交換においてわずらわしさはない。通常の使用時に強く押圧しても、蓋体が開くことなく、その圧力を吸収して転写ヘッドへの問題を極力防止しているものとなった。
【００５７】
（参考例１）
参考例１のカートリッジ１は、図１のカートリッジ１と同じである。図１が参考例１のカートリッジ１を示した説明図である。
【００５８】
図９は、参考例１のケース２０を示した説明図である。図２のケース２０と同じ構成であり、それに弾発部４０を設けたものである。弾発部４０は、円柱形状であるが図ではその側面を表しており、ケース２０の蓋体２２に嵌入して固定している。
【００５９】
弾発部４０の図面上側に嵌入溝４１を設けており、蓋体２２の嵌入爪４２によって、嵌め込まれている。そして、蓋体２２の内部の傾斜によって、固定されている。図では円柱形状側面であるので、実際は見えない部分もあるが、説明のため図のように表している。
【００６０】
図のような嵌入爪４２であるので、蓋体２２の図面下側から弾発部４０を蓋体２２に押し込んで嵌め込むものである。このように弾発部４０を嵌入させているので、蓋体２２を開けても弾発部４０が落ちてくることはない。
【００６１】
弾発部４０から稼動部４３が出ており、その先に当接面４４がつながっている。稼動部４３が弾発部４０内部に動いて入り込むものである。一体ものであり、稼動部４３や当接面４４が抜けて落ちることはない。弾発部４０内部にコイルばねなどを設置して、稼動部４３の稼動距離（入り込む距離）を調整している。
【００６２】
通常の転写における押圧力では、この弾発部４０の稼動部４３は入り込まず、さらに強く押圧することで始めて入り込むように調整している。逆に言えば、稼動部４３が入り込むことなく（当接面４４が動くことなく）塗膜を転写することができ、さらに強く押圧することで始めて入り込むように調整しているものである。
【００６３】
また、開口部から突出している転写ヘッド５がケース２０内方向へ後退して埋没してしまわない距離だけ後退して復帰する稼動距離を有するものである。
【００６４】
図１０は、参考例１の塗膜転写具５０を示した説明図である。図１のカートリッジ１を図９のケース２０の蓋体２２が図３のように左に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【００６５】
蓋体２２が閉じると、カートリッジ１の接続板８とケース２０の蓋体２２に設けた弾発部４０の当接面４４とが接してカートリッジ１が固定される。
【００６６】
弾発部４０は、嵌入溝４１と蓋体２２の嵌入爪４２の嵌入、および、弾発部４０の筐体と蓋体２２内部の傾斜によって、蓋体２２に固定されている。そこにわずかな隙間ができることがあり、弾発部４０が微妙に振れ、微かにがたつくことがある。しかし、カートリッジ１の接続板８と弾発部４０の当接面４４とが接することで、その微妙な振れが抑制され、微かながたつきがなくなる。
【００６７】
図１１は、参考例１の塗膜転写具５０を強く押圧した状態を示した説明図である。図１０の状態から、ケース２０を図面下向きに強く押圧した状態である。強く押圧すると、転写ヘッド５がケース２０内方向へ押され、ケース２０に対してカートリッジ１が図面上側へ押される。
【００６８】
すると、接続板８に接する当接面４４を介して、稼動部４３が弾発部４０内部に動いて入り込むことになる。図は、後退しきった状態であり、ここまでの稼動距離（入り込む距離）に調整したものである。弾発部４０は、ここでは円柱形状であり、その円周全体で蓋体２２に接しているので、円周を介して力がバランス良く蓋体２２全体に分散されて、蓋体２２が開く方向の力が吸収されることになる。つまり、稼動部４３が弾発部４０内部に入り込む後退によって、力がバランス良く蓋体２２全体に分散されるものである。これらの動きにより、強く押圧した圧力を吸収している。
【００６９】
この図１１の状態から、強く押圧するのをやめると、後退から元の位置である図１０の状態まで復帰するものである。つまり、開口部から突出している転写ヘッドがケース内方向へ後退して埋没してしまわない距離だけ後退して復帰する弾発部４０である。
【００７０】
ここで弾発部４０は、特願２０１０−１６８７６６号公報の実施例にあるような切断了知機構ユニットであり、切断了知機構ユニットの接続部が当接面４４である。切断了知機構は音発生機構であり、この音発生機構は、特願２０１０−１６８７６６号公報にあるようにノック式筆記具の機構に類似させたものである。
【００７１】
これにより、転写を終了させるとき、塗膜転写具５０を被転写面３２に対して垂直に立てて強く押圧して押圧するのをやめると、音を文字で表現すれば「カッチャ」と音が鳴ることになる。ゆえに、明確に切断を了知させることができる。
【００７２】
図１２は、参考例１の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【００７３】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【００７４】
図１２のような通常の使用時であっても、筆記具のように使用できる形状であるので、無意識により強く押圧してしまうことがある。より強く押圧しても、図１１のように固定されている弾発部４０が稼動して、蓋体２２が開く方向の力が吸収されることになる。
【００７５】
このような構成であるので、カートリッジの交換においてわずらわしさはない。通常の使用時に強く押圧しても、蓋体が開くことなく、その圧力を吸収して転写ヘッドへの問題を極力防止しているものとなった。さらには、切断を了知させるものとなった。
【実施例２】
【００７６】
実施例２のカートリッジ１は、図４の実施例１のカートリッジ１と同じである。図４が実施例２のカートリッジ１を示した説明図である。
【００７７】
図１３は、実施例２のケース２０を示した説明図である。図５の実施例１と同じテーパ摺動部のテーパ部３１を設けたものであり、それに図９の参考例１のケース２０と同じ構成で弾発部４０を設けたものである。
【００７８】
テーパ摺動部は、実施例１と同じである。弾発部４０は、参考例１と同様に固定しており、同じものである。このように実施例２は、実施例１と参考例１を合わせたものである。
【００７９】
図１４は、実施例２の塗膜転写具５０を示した説明図である。図４のカートリッジ１を図１３のケース２０の蓋体２２が図３のように左に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【００８０】
蓋体２２が閉じると、長方形突部３０とテーパ部３１とが、平面板７上からの厚みと蓋体２２内壁からの厚みによって接触するものである。この接触でカートリッジ１が固定される。同時に、カートリッジ１の接続板８とケース２０の蓋体２２に設けた弾発部４０の当接面４４とが接してカートリッジ１が固定される。
【００８１】
弾発部４０は、嵌入溝４１と蓋体２２の嵌入爪４２の嵌入、および、弾発部４０の筐体と蓋体２２内部の傾斜によって、蓋体２２に固定されている。そこにわずかな隙間ができることがあり、弾発部４０が微妙に振れ、微かにがたつくことがある。しかし、カートリッジ１の接続板８と弾発部４０の当接面４４とが接することで、その微妙な振れが抑制され、微かながたつきがなくなる。
【００８２】
図１５は、実施例２の塗膜転写具５０を強く押圧した状態を示した説明図である。図１４の状態から、ケース２０を図面下向きに強く押圧した状態である。強く押圧すると、転写ヘッド５がケース２０内方向へ押され、ケース２０に対してカートリッジ１が図面上側へ押される。
【００８３】
すると、カートリッジ１と蓋体２２との間に設けたテーパ摺動部にて、長方形突部３０とテーパ部３１とが摺動することになる。長方形突部３０が、テーパ部３１のテーパ（傾斜）形状のところ（図面上側に向かってケース２０の図面左側へ広がっている部分）を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【００８４】
同時に、接続板８に接する当接面４４を介して、稼動部４３が弾発部４０内部に動いて入り込むことになる。図は、後退しきった状態であり、ここまでの稼動距離（入り込む距離）に調整したものである。弾発部４０は、ここでは円柱形状であり、その円周全体で蓋体２２に接しているので、円周を介して力がバランス良く蓋体２２全体に分散されて、蓋体２２が開く方向の力が吸収されることになる。つまり、稼動部４３が弾発部４０内部に入り込む後退によって、力がバランス良く蓋体２２全体に分散されるものである。これらの動きによってもまた、強く押圧した圧力を吸収している。
【００８５】
この図１５の状態から、強く押圧するのをやめると、後退から元の位置である図１４の状態まで復帰するものである。つまり、開口部から突出している転写ヘッドがケース内方向へ後退して埋没してしまわない距離だけ後退して復帰する弾発部４０である。
【００８６】
弾発部４０は、参考例１と同じである。これにより、転写を終了させるとき、塗膜転写具５０を被転写面３２に対して垂直に立てて強く押圧して押圧するのをやめると、音を文字で表現すれば「カッチャ」と音が鳴ることになる。ゆえに、明確に切断を了知させることができる。
【００８７】
図１６は、実施例２の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【００８８】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【００８９】
図１６のような通常の使用時であっても、筆記具のように使用できる形状であるので、無意識により強く押圧してしまうことがある。より強く押圧しても、図１５のようにテーパ摺動部にて長方形突部３０とテーパ部３１とが摺動して、蓋体２２が閉まる方向に力がかかることになり、同時に、固定されている弾発部４０が稼動して、蓋体２２が開く方向の力が吸収されることになる。
【００９０】
このような構成であるので、カートリッジの交換においてわずらわしさはない。通常の使用時に強く押圧しても、蓋体が開くことなく、その圧力を吸収して転写ヘッドへの問題を極力防止しているものとなった。さらには、切断を了知させるものとなった。
【実施例３】
【００９１】
図１７は、実施例３のカートリッジ１を示した説明図である。図１のカートリッジ１と同じ構成であり、それにテーパ摺動部のテーパ部３１を設けたものである。テーパ部３１は、図面手前の平面板７の外側（さらに図面手前）左に、平面板７上から図面垂直方向手前に出るように、厚みのある部位として設けている。鋭角上向きの直角三角形状で、図面上側の三角形鋭角部分に丸みを持たせた形状である。図では、網模様を施して表している。このテーパ部３１には、図面下側に向かってカートリッジ１の図面右側へ広がるテーパ（傾斜）形状がある。
【００９２】
図１８は、実施例３のケース２０を示した説明図である。図２のケース２０と同じ構成であり、それにテーパ摺動部の長方形突部３０を設けたものである。長方形突部３０は、図面手前の蓋体２２の内側左に、蓋体２２内壁から図面垂直方向奥側へ出るように、厚みのある部位として設けている。細長い長方形状で、図面上側と下側の短い辺に丸みを持たせた形状である。図では、網模様を施して表している。この長方形突部３０には、テーパ（傾斜）形状はない。
【００９３】
テーパ摺動部は、長方形突部３０とテーパ部３１からなる。それぞれは、カートリッジ１または蓋体２２のどちらかそれぞれに設けている。つまり、カートリッジ１と蓋体２２との間に設けたテーパ摺動部である。
【００９４】
図１９は、実施例３の塗膜転写具５０を示した説明図である。図１７のカートリッジ１を図１８のケース２０の蓋体２２が図３のように左に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【００９５】
蓋体２２が閉じると、長方形突部３０とテーパ部３１とが、平面板７上からの厚みと蓋体２２内壁からの厚みによって接触するものである。この接触でカートリッジ１が固定される。
【００９６】
図２０は、実施例３の塗膜転写具５０を強く押圧した状態を示した説明図である。図１９の状態から、ケース２０を図面下向きに強く押圧した状態である。強く押圧すると、転写ヘッド５がケース２０内方向へ押され、ケース２０に対してカートリッジ１が図面上側へ押される。
【００９７】
すると、カートリッジ１と蓋体２２との間に設けたテーパ摺動部にて、長方形突部３０とテーパ部３１とが摺動することになる。テーパ部３１のテーパ（傾斜）形状のところ（図面下側に向かってカートリッジ１の図面右側へ広がっている部分）が、長方形突部３０を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【００９８】
この図２０の状態から、強く押圧するのをやめると、テーパ（傾斜）形状によって元の位置である図１９の状態まで戻るものである。
【００９９】
図２１は、実施例３の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【０１００】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【０１０１】
図２１のような通常の使用時であっても、筆記具のように使用できる形状であるので、無意識により強く押圧してしまうことがある。より強く押圧しても、図２０のようにテーパ摺動部にて長方形突部３０とテーパ部３１とが摺動して、蓋体２２が閉まる方向に力がかかることになる。
【０１０２】
このような構成であるので、カートリッジの交換においてわずらわしさはない。通常の使用時に強く押圧しても、蓋体が開くことなく、その圧力を吸収して転写ヘッドへの問題を極力防止しているものとなった。
【実施例４】
【０１０３】
実施例４のカートリッジ１は、図１７の実施例３のカートリッジ１と同じである。図１７が実施例４のカートリッジ１を示した説明図である。
【０１０４】
図２２は、実施例４のケース２０を示した説明図である。図１８の実施例３と同じテーパ摺動部の長方形突部３０を設けたものであり、それに図９の参考例１のケース２０と同じ構成で弾発部４０を設けたものである。
【０１０５】
テーパ摺動部は、実施例３と同じである。弾発部４０は、参考例１と同様に固定しており、同じものである。このように実施例４は、実施例３と参考例１を合わせたものである。
【０１０６】
図２３は、実施例４の塗膜転写具５０を示した説明図である。図１７のカートリッジ１を図２２のケース２０の蓋体２２が図３のように左に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【０１０７】
蓋体２２が閉じると、長方形突部３０とテーパ部３１とが、平面板７上からの厚みと蓋体２２内壁からの厚みによって接触するものである。この接触でカートリッジ１が固定される。同時に、カートリッジ１の接続板８とケース２０の蓋体２２に設けた弾発部４０の当接面４４とが接してカートリッジ１が固定される。
【０１０８】
弾発部４０は、嵌入溝４１と蓋体２２の嵌入爪４２の嵌入、および、弾発部４０の筐体と蓋体２２内部の傾斜によって、蓋体２２に固定されている。そこにわずかな隙間ができることがあり、弾発部４０が微妙に振れ、微かにがたつくことがある。しかし、カートリッジ１の接続板８と弾発部４０の当接面４４とが接することで、その微妙な振れが抑制され、微かながたつきがなくなる。
【０１０９】
図２４は、実施例４の塗膜転写具５０を強く押圧した状態を示した説明図である。図２３の状態から、ケース２０を図面下向きに強く押圧した状態である。強く押圧すると、転写ヘッド５がケース２０内方向へ押され、ケース２０に対してカートリッジ１が図面上側へ押される。
【０１１０】
すると、カートリッジ１と蓋体２２との間に設けたテーパ摺動部にて、長方形突部３０とテーパ部３１とが摺動することになる。テーパ部３１のテーパ（傾斜）形状のところ（図面下側に向かってカートリッジ１の図面右側へ広がっている部分）が、長方形突部３０を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【０１１１】
同時に、接続板８に接する当接面４４を介して、稼動部４３が弾発部４０内部に動いて入り込むことになる。図は、後退しきった状態であり、ここまでの稼動距離（入り込む距離）に調整したものである。弾発部４０は、ここでは円柱形状であり、その円周全体で蓋体２２に接しているので、円周を介して力がバランス良く蓋体２２全体に分散されて、蓋体２２が開く方向の力が吸収されることになる。つまり、稼動部４３が弾発部４０内部に入り込む後退によって、力がバランス良く蓋体２２全体に分散されるものである。これらの動きによってもまた、強く押圧した圧力を吸収している。
【０１１２】
この図２４の状態から、強く押圧するのをやめると、後退から元の位置である図２３の状態まで復帰するものである。つまり、開口部から突出している転写ヘッドがケース内方向へ後退して埋没してしまわない距離だけ後退して復帰する弾発部４０である。
【０１１３】
弾発部４０は、参考例１と同じである。これにより、転写を終了させるとき、塗膜転写具５０を被転写面３２に対して垂直に立てて強く押圧して押圧するのをやめると、音を文字で表現すれば「カッチャ」と音が鳴ることになる。ゆえに、明確に切断を了知させることができる。
【０１１４】
図２５は、実施例４の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【０１１５】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【０１１６】
図２５のような通常の使用時であっても、筆記具のように使用できる形状であるので、無意識により強く押圧してしまうことがある。より強く押圧しても、図２４のようにテーパ摺動部にて長方形突部３０とテーパ部３１とが摺動して、蓋体２２が閉まる方向に力がかかることになり、同時に、固定されている弾発部４０が稼動して、蓋体２２が開く方向の力が吸収されることになる。
【０１１７】
このような構成であるので、カートリッジの交換においてわずらわしさはない。通常の使用時に強く押圧しても、蓋体が開くことなく、その圧力を吸収して転写ヘッドへの問題を極力防止しているものとなった。さらには、切断を了知させるものとなった。
【実施例５】
【０１１８】
実施例５から実施例８まで、および、参考例２において共通するケース２０の構成について、図２６と図２７にて説明する。
【０１１９】
図２６は、右開きのケース２０を示した説明図である。カートリッジ１を交換可能に装填できるものであるが、カートリッジ１は装填しておらず、ケース２０だけである。このケース２０は使用者に使用しやすい立体的な形状を有するものであるが、図面上、平面的にしか表していない。
【０１２０】
図では、ケース２０は透明である。ケース２０における図面垂直方向中央付近での断面に相当する部分には、図面の右上から左下への斜線を施して表している。斜線を施した部分はケース２０の外枠であり、本体２１と図面上側の蓋体２２からなる。本体２１の図面下側に開口部位２３を有している。
【０１２１】
蓋体２２は本体２１の開口部位２３に対して反対側に位置して回転開閉する。ここでの回転開閉の機構はヒンジである。図面右側のヒンジ軸２４は、断面に相当する部分もあるが、図では斜線を施さず、透明で表している。
【０１２２】
ヒンジと反対の図面左側に、本体と蓋体の係止部がある。係止部は、本体２１の係止溝２５とそれに係る蓋体２２の係止爪２６とからなる。係止を解除するために、係止解除突起２７を設けている。
【０１２３】
図では、係止溝２５に係止爪２６が係っており、蓋体２２が閉じた状態である。ここで係止解除突起２７は、蓋体２２から伸びた係止爪２６のたわむ部分に設けている。係止解除突起２７を蓋体２２の内側へ押すことで、係止を解除することができる。これらにより、蓋体２２を開閉することができる。
【０１２４】
なお、右開きとは、あくまで説明のための左右を意味するものであり、図面に表したケース２０において、図面に対して蓋体２２が右に開くことを意味するものである。
【０１２５】
図２７は、蓋体２２が右に開いたケース２０を示した説明図である。係止解除突起２７にて係止を解除して、蓋体２２をヒンジ軸２４を中心に回転させて、蓋体２２を右に開いた状態であり、図２６のケース２０が開いた状態である。この図２７の状態で、カートリッジ１が交換可能となる。
【０１２６】
図２８は、実施例５のカートリッジ１を示した説明図である。図１のカートリッジ１と同じ構成であり、それにテーパ摺動部の長方形突部３０を設けたものである。長方形突部３０は、図面手前の平面板７の外側（さらに図面手前）右に、平面板７上から図面垂直方向手前に出るように、厚みのある部位として設けている。細長い長方形状で、図面上側と下側の短い辺に丸みを持たせた形状である。図では、網模様を施して表している。この長方形突部３０には、テーパ（傾斜）形状はない。
【０１２７】
図２９は、実施例５のケース２０を示した説明図である。図２６のケース２０と同じ構成であり、それにテーパ摺動部のテーパ部３１を設けたものである。テーパ部３１は、図面手前の蓋体２２の内側右に、蓋体２２内壁から図面垂直方向奥側へ出るように、厚みのある部位として設けている。鋭角下向きの直角三角形状で、図面下側の三角形鋭角部分に丸みを持たせた形状である。図では、網模様を施して表している。このテーパ部３１には、図面上側に向かってケース２０の図面右側へ広がるテーパ（傾斜）形状がある。
【０１２８】
テーパ摺動部は、長方形突部３０とテーパ部３１からなる。それぞれは、カートリッジ１または蓋体２２のどちらかそれぞれに設けている。つまり、カートリッジ１と蓋体２２との間に設けたテーパ摺動部である。
【０１２９】
図３０は、実施例５の塗膜転写具５０を示した説明図である。図２８のカートリッジ１を図２９のケース２０の蓋体２２が図２７のように右に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【０１３０】
蓋体２２が閉じると、長方形突部３０とテーパ部３１とが、平面板７上からの厚みと蓋体２２内壁からの厚みによって接触するものである。この接触でカートリッジ１が固定される。
【０１３１】
図３１は、実施例１の塗膜転写具５０を強く押圧した状態を示した説明図である。図３０の状態から、ケース２０を図面下向きに強く押圧した状態である。強く押圧すると、転写ヘッド５がケース２０内方向へ押され、ケース２０に対してカートリッジ１が図面上側へ押される。
【０１３２】
すると、カートリッジ１と蓋体２２との間に設けたテーパ摺動部にて、長方形突部３０とテーパ部３１とが摺動することになる。長方形突部３０が、テーパ部３１のテーパ（傾斜）形状のところ（図面上側に向かってケース２０の図面右側へ広がっている部分）を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【０１３３】
この図３１の状態から、強く押圧するのをやめると、テーパ（傾斜）形状によって元の位置である図３０の状態まで戻るものである。
【０１３４】
図３２は、実施例５の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【０１３５】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【０１３６】
図３２のような通常の使用時であっても、筆記具のように使用できる形状であるので、無意識により強く押圧してしまうことがある。より強く押圧しても、図３１のようにテーパ摺動部にて長方形突部３０とテーパ部３１とが摺動して、蓋体２２が閉まる方向に力がかかることになる。
【０１３７】
このような構成であるので、カートリッジの交換においてわずらわしさはない。通常の使用時に強く押圧しても、蓋体が開くことなく、その圧力を吸収して転写ヘッドへの問題を極力防止しているものとなった。
【０１３８】
（参考例２）
参考例２のカートリッジ１は、図１のカートリッジ１と同じである。図１が参考例２のカートリッジ１を示した説明図である。
【０１３９】
図３３は、参考例２のケース２０を示した説明図である。図２６のケース２０と同じ構成であり、それに図９の参考例１と同じ弾発部４０を設けたものである。
【０１４０】
弾発部４０は、参考例１と同様に固定しており、同じものである。このように参考例２は、実施例５と参考例１を合わせたものである。
【０１４１】
図３４は、参考例２の塗膜転写具５０を示した説明図である。図１のカートリッジ１を図３３のケース２０の蓋体２２が図２７のように右に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【０１４２】
蓋体２２が閉じると、カートリッジ１の接続板８とケース２０の蓋体２２に設けた弾発部４０の当接面４４とが接してカートリッジ１が固定される。
【０１４３】
弾発部４０は、嵌入溝４１と蓋体２２の嵌入爪４２の嵌入、および、弾発部４０の筐体と蓋体２２内部の傾斜によって、蓋体２２に固定されている。そこにわずかな隙間ができることがあり、弾発部４０が微妙に振れ、微かにがたつくことがある。しかし、カートリッジ１の接続板８と弾発部４０の当接面４４とが接することで、その微妙な振れが抑制され、微かながたつきがなくなる。
【０１４４】
図３５は、参考例２の塗膜転写具５０を強く押圧した状態を示した説明図である。図３４の状態から、ケース２０を図面下向きに強く押圧した状態である。強く押圧すると、転写ヘッド５がケース２０内方向へ押され、ケース２０に対してカートリッジ１が図面上側へ押される。
【０１４５】
すると、接続板８に接する当接面４４を介して、稼動部４３が弾発部４０内部に動いて入り込むことになる。図は、後退しきった状態であり、ここまでの稼動距離（入り込む距離）に調整したものである。弾発部４０は、ここでは円柱形状であり、その円周全体で蓋体２２に接しているので、円周を介して力がバランス良く蓋体２２全体に分散されて、蓋体２２が開く方向の力が吸収されることになる。つまり、稼動部４３が弾発部４０内部に入り込む後退によって、力がバランス良く蓋体２２全体に分散されるものである。これらの動きにより、強く押圧した圧力を吸収している。
【０１４６】
この図３５の状態から、強く押圧するのをやめると、後退から元の位置である図３４の状態まで復帰するものである。つまり、開口部から突出している転写ヘッドがケース内方向へ後退して埋没してしまわない距離だけ後退して復帰する弾発部４０である。
【０１４７】
弾発部４０は、参考例１と同じである。これにより、転写を終了させるとき、塗膜転写具５０を被転写面３２に対して垂直に立てて強く押圧して押圧するのをやめると、音を文字で表現すれば「カッチャ」と音が鳴ることになる。ゆえに、明確に切断を了知させることができる。
【０１４８】
図３６は、参考例２の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【０１４９】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【０１５０】
図３６のような通常の使用時であっても、筆記具のように使用できる形状であるので、無意識により強く押圧してしまうことがある。より強く押圧しても、図３５のように固定されている弾発部４０が稼動して、蓋体２２が開く方向の力が吸収されることになる。
【０１５１】
このような構成であるので、カートリッジの交換においてわずらわしさはない。通常の使用時に強く押圧しても、蓋体が開くことなく、その圧力を吸収して転写ヘッドへの問題を極力防止しているものとなった。さらには、切断を了知させるものとなった。
【実施例６】
【０１５２】
実施例６のカートリッジ１は、図２８の実施例５のカートリッジ１と同じである。図２８が実施例６のカートリッジ１を示した説明図である。
【０１５３】
図３７は、実施例６のケース２０を示した説明図である。図２９の実施例５と同じテーパ摺動部のテーパ部３１を設けたものであり、それに図３３の参考例２のケース２０と同じ構成で弾発部４０を設けたものである。
【０１５４】
テーパ摺動部は、実施例５と同じである。弾発部４０は、参考例２と同様に固定しており、同じものである。このように実施例６は、実施例５と参考例２を合わせたものである。
【０１５５】
図３８は、実施例６の塗膜転写具５０を示した説明図である。図２８のカートリッジ１を図３７のケース２０の蓋体２２が図２７のように右に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【０１５６】
蓋体２２が閉じると、長方形突部３０とテーパ部３１とが、平面板７上からの厚みと蓋体２２内壁からの厚みによって接触するものである。この接触でカートリッジ１が固定される。同時に、カートリッジ１の接続板８とケース２０の蓋体２２に設けた弾発部４０の当接面４４とが接してカートリッジ１が固定される。
【０１５７】
弾発部４０は、嵌入溝４１と蓋体２２の嵌入爪４２の嵌入、および、弾発部４０の筐体と蓋体２２内部の傾斜によって、蓋体２２に固定されている。そこにわずかな隙間ができることがあり、弾発部４０が微妙に振れ、微かにがたつくことがある。しかし、カートリッジ１の接続板８と弾発部４０の当接面４４とが接することで、その微妙な振れが抑制され、微かながたつきがなくなる。
【０１５８】
図３９は、実施例６の塗膜転写具５０を強く押圧した状態を示した説明図である。図３８の状態から、ケース２０を図面下向きに強く押圧した状態である。強く押圧すると、転写ヘッド５がケース２０内方向へ押され、ケース２０に対してカートリッジ１が図面上側へ押される。
【０１５９】
すると、カートリッジ１と蓋体２２との間に設けたテーパ摺動部にて、長方形突部３０とテーパ部３１とが摺動することになる。長方形突部３０が、テーパ部３１のテーパ（傾斜）形状のところ（図面上側に向かってケース２０の図面右側へ広がっている部分）を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【０１６０】
同時に、接続板８に接する当接面４４を介して、稼動部４３が弾発部４０内部に動いて入り込むことになる。図は、後退しきった状態であり、ここまでの稼動距離（入り込む距離）に調整したものである。弾発部４０は、ここでは円柱形状であり、その円周全体で蓋体２２に接しているので、円周を介して力がバランス良く蓋体２２全体に分散されて、蓋体２２が開く方向の力が吸収されることになる。つまり、稼動部４３が弾発部４０内部に入り込む後退によって、力がバランス良く蓋体２２全体に分散されるものである。これらの動きによってもまた、強く押圧した圧力を吸収している。
【０１６１】
この図３９の状態から、強く押圧するのをやめると、後退から元の位置である図３８の状態まで復帰するものである。つまり、開口部から突出している転写ヘッドがケース内方向へ後退して埋没してしまわない距離だけ後退して復帰する弾発部４０である。
【０１６２】
弾発部４０は、参考例１と同じである。これにより、転写を終了させるとき、塗膜転写具５０を被転写面３２に対して垂直に立てて強く押圧して押圧するのをやめると、音を文字で表現すれば「カッチャ」と音が鳴ることになる。ゆえに、明確に切断を了知させることができる。
【０１６３】
図４０は、実施例６の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【０１６４】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【０１６５】
図４０のような通常の使用時であっても、筆記具のように使用できる形状であるので、無意識により強く押圧してしまうことがある。より強く押圧しても、図３９のようにテーパ摺動部にて長方形突部３０とテーパ部３１とが摺動して、蓋体２２が閉まる方向に力がかかることになり、同時に、固定されている弾発部４０が稼動して、蓋体２２が開く方向の力が吸収されることになる。
【０１６６】
このような構成であるので、カートリッジの交換においてわずらわしさはない。通常の使用時に強く押圧しても、蓋体が開くことなく、その圧力を吸収して転写ヘッドへの問題を極力防止しているものとなった。さらには、切断を了知させるものとなった。
【実施例７】
【０１６７】
図４１は、実施例７のカートリッジ１を示した説明図である。図１のカートリッジ１と同じ構成であり、それにテーパ摺動部のテーパ部３１を設けたものである。テーパ部３１は、図面手前の平面板７の外側（さらに図面手前）右に、平面板７上から図面垂直方向手前に出るように、厚みのある部位として設けている。鋭角上向きの直角三角形状で、図面上側の三角形鋭角部分に丸みを持たせた形状である。図では、網模様を施して表している。このテーパ部３１には、図面下側に向かってカートリッジ１の図面左側へ広がるテーパ（傾斜）形状がある。
【０１６８】
図４２は、実施例７のケース２０を示した説明図である。図２６のケース２０と同じ構成であり、それにテーパ摺動部の長方形突部３０を設けたものである。長方形突部３０は、蓋体２２の図面手前の内側右に、蓋体２２内壁から図面垂直方向奥側へ出るように、厚みのある部位として設けている。細長い長方形状で、図面上側と下側の短い辺に丸みを持たせた形状である。図では、網模様を施して表している。この長方形突部３０には、テーパ（傾斜）形状はない。
【０１６９】
テーパ摺動部は、長方形突部３０とテーパ部３１からなる。それぞれは、カートリッジ１または蓋体２２のどちらかそれぞれに設けている。つまり、カートリッジ１と蓋体２２との間に設けたテーパ摺動部である。
【０１７０】
図４３は、実施例７の塗膜転写具５０を示した説明図である。図４１のカートリッジ１を図４２のケース２０の蓋体２２が図２７のように右に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【０１７１】
蓋体２２が閉じると、長方形突部３０とテーパ部３１とが、平面板７上からの厚みと蓋体２２内壁からの厚みによって接触するものである。この接触でカートリッジ１が固定される。
【０１７２】
図４４は、実施例７の塗膜転写具５０を強く押圧した状態を示した説明図である。図４３の状態から、ケース２０を図面下向きに強く押圧した状態である。強く押圧すると、転写ヘッド５がケース２０内方向へ押され、ケース２０に対してカートリッジ１が図面上側へ押される。
【０１７３】
すると、カートリッジ１と蓋体２２との間に設けたテーパ摺動部にて、長方形突部３０とテーパ部３１とが摺動することになる。テーパ部３１のテーパ（傾斜）形状のところ（図面下側に向かってカートリッジ１の図面左側へ広がっている部分）が、長方形突部３０を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【０１７４】
この図４４の状態から、強く押圧するのをやめると、テーパ（傾斜）形状によって元の位置である図４３の状態まで戻るものである。
【０１７５】
図４５は、実施例７の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【０１７６】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【０１７７】
図４５のような通常の使用時であっても、筆記具のように使用できる形状であるので、無意識により強く押圧してしまうことがある。より強く押圧しても、図４４のようにテーパ摺動部にて長方形突部３０とテーパ部３１とが摺動して、蓋体２２が閉まる方向に力がかかることになる。
【０１７８】
このような構成であるので、カートリッジの交換においてわずらわしさはない。通常の使用時に強く押圧しても、蓋体が開くことなく、その圧力を吸収して転写ヘッドへの問題を極力防止しているものとなった。
【実施例８】
【０１７９】
実施例８のカートリッジ１は、図４１の実施例７のカートリッジ１と同じである。図４１が実施例８のカートリッジ１を示した説明図である。
【０１８０】
図４６は、実施例８のケース２０を示した説明図である。図４２の実施例７と同じテーパ摺動部の長方形突部３０を設けたものであり、それに図３３の参考例２のケース２０と同じ構成で弾発部４０を設けたものである。
【０１８１】
テーパ摺動部は、実施例７と同じである。弾発部４０は、参考例２と同様に固定しており、同じものである。このように実施例８は、実施例７と参考例２を合わせたものである。
【０１８２】
図４７は、実施例８の塗膜転写具５０を示した説明図である。図４１のカートリッジ１を図４６のケース２０の蓋体２２が図２７のように右に開いたところに挿入して、蓋体２２を閉じたものである。転写ヘッド５がケース２０の開口部位２３より突出する。また、カートリッジ１が挿入しやすいようなガイドやカートリッジ１の動きを抑制する部位など、必要なものはカートリッジ１側やケース２０側に適宜設けてもよい。図ではそれらは省略している。
【０１８３】
蓋体２２が閉じると、長方形突部３０とテーパ部３１とが、平面板７上からの厚みと蓋体２２内壁からの厚みによって接触するものである。この接触でカートリッジ１が固定される。同時に、カートリッジ１の接続板８とケース２０の蓋体２２に設けた弾発部４０の当接面４４とが接してカートリッジ１が固定される。
【０１８４】
弾発部４０は、嵌入溝４１と蓋体２２の嵌入爪４２の嵌入、および、弾発部４０の筐体と蓋体２２内部の傾斜によって、蓋体２２に固定されている。そこにわずかな隙間ができることがあり、弾発部４０が微妙に振れ、微かにがたつくことがある。しかし、カートリッジ１の接続板８と弾発部４０の当接面４４とが接することで、その微妙な振れが抑制され、微かながたつきがなくなる。
【０１８５】
図４８は、実施例８の塗膜転写具５０を強く押圧した状態を示した説明図である。図４７の状態から、ケース２０を図面下向きに強く押圧した状態である。強く押圧すると、転写ヘッド５がケース２０内方向へ押され、ケース２０に対してカートリッジ１が図面上側へ押される。
【０１８６】
すると、カートリッジ１と蓋体２２との間に設けたテーパ摺動部にて、長方形突部３０とテーパ部３１とが摺動することになる。テーパ部３１のテーパ（傾斜）形状のところ（図面下側に向かってカートリッジ１の図面左側へ広がっている部分）が、長方形突部３０を摺りながら動くので、蓋体２２が閉まる方向に力がかかることになる。つまり、テーパ摺動部のテーパ形状は、転写ヘッドがケース内方向へ押されるときには蓋体が閉まる方向のテーパ形状である。これらの動きにより、強く押圧した圧力を吸収している。
【０１８７】
同時に、接続板８に接する当接面４４を介して、稼動部４３が弾発部４０内部に動いて入り込むことになる。図は、後退しきった状態であり、ここまでの稼動距離（入り込む距離）に調整したものである。弾発部４０は、ここでは円柱形状であり、その円周全体で蓋体２２に接しているので、円周を介して力がバランス良く蓋体２２全体に分散されて、蓋体２２が開く方向の力が吸収されることになる。つまり、稼動部４３が弾発部４０内部に入り込む後退によって、力がバランス良く蓋体２２全体に分散されるものである。これらの動きによってもまた、強く押圧した圧力を吸収している。
【０１８８】
この図４８の状態から、強く押圧するのをやめると、後退から元の位置である図４７の状態まで復帰するものである。つまり、開口部から突出している転写ヘッドがケース内方向へ後退して埋没してしまわない距離だけ後退して復帰する弾発部４０である。
【０１８９】
弾発部４０は、参考例１と同じである。これにより、転写を終了させるとき、塗膜転写具５０を被転写面３２に対して垂直に立てて強く押圧して押圧するのをやめると、音を文字で表現すれば「カッチャ」と音が鳴ることになる。ゆえに、明確に切断を了知させることができる。
【０１９０】
図４９は、実施例８の塗膜転写具５０の使用状態を示した説明図である。塗膜５１を感圧転写している様子を表したものである。基材テープ２表面に塗膜５１が形成されたものが転写テープ３であり、ケース２０の開口部位２３より突出している転写ヘッド５にて基材テープ２背面より被転写面３２に押圧しながら、図面右方向へ塗膜転写具５０を動かしており、転写テープ３の塗膜５１を被転写面３２に転写している様子である。
【０１９１】
塗膜転写具５０を押圧しながら動かすことにより、転写ヘッド５にて転写テープ３が走行して、転写テープ３が繰出しリール４から繰り出されて、転写ヘッド５にて塗膜５１が被転写面３２に転写され、塗膜５１が転写された後の基材テープ２が巻取りリール６に巻き取られている。なおここで、連動機構と逆転防止機構も動作しており、テープがたるむことはない。
【０１９２】
図４９のような通常の使用時であっても、筆記具のように使用できる形状であるので、無意識により強く押圧してしまうことがある。より強く押圧しても、図４８のようにテーパ摺動部にて長方形突部３０とテーパ部３１とが摺動して、蓋体２２が閉まる方向に力がかかることになり、同時に、固定されている弾発部４０が稼動して、蓋体２２が開く方向の力が吸収されることになる。
【０１９３】
このような構成であるので、カートリッジの交換においてわずらわしさはない。通常の使用時に強く押圧しても、蓋体が開くことなく、その圧力を吸収して転写ヘッドへの問題を極力防止しているものとなった。さらには、切断を了知させるものとなった。
【０１９４】
実施例９から実施例１２まで、および、参考例３と参考例４において共通する弾発部４０の内部機構について、図５０にて説明する。
【０１９５】
図５０は、実施例９から実施例１２まで、および、参考例３と参考例４の弾発部の内部機構を示した説明図である。この弾発部４０は、音発生機構である切断了知機構であるが、その内部機構が実施例１から実施例８までの弾発部４０とは異なるものである。外部形状は同じである。
【０１９６】
図５０は、図９や図３３などと同じ配置で表しており、その平面と同じ、図面垂直方向中央付近での断面で、内部機構を表している。
【０１９７】
当接面４４のつながっている稼動部４３が、図面下側から筐体に入り込んでいる。弾発部４０の筐体は円筒形状で、円筒内面や円筒外面に構造を有するものである。弾発部４０の稼動部４３は円柱形状であり、当接面４４の方が稼動部４３より径が大きいものである。
【０１９８】
稼動部４３に、円筒形状や円柱形状ではない図のようなＵ字形状の構造物を設けている。そのＵ字の図面上側の先端に稼動玉４５を有している。稼動玉４５につながっているＵ字形状の縦棒部分である玉軸４６は弾性があって、図面左右方向で筐体の外側へそれぞれが開くような弾性がある。これによりたわむことができ、稼動玉４５が図面左右方向にわずかに動くことができるものである。
【０１９９】
一方、図のように筐体と稼動部４３との間にはコイルばね４７を設置している。筐体に対して稼動部４３が図面下方向へ押し出されるように力がかかっている。断面で表しているので、コイルばね４７は、ばね素材の円断面とコイル部分の図面奥側半分を表している。
【０２００】
図５０（ａ）は、図１０や図３４などに相当する場合であり、塗膜転写具を強く押圧していない状態である。コイルばね４７によって、稼動部４３が図面下方向へ押し出されるように力がかかっているが、筐体に設けた稼動係止爪４８によって稼動玉４５が係止している。これにより、稼動玉４５が玉軸４６を通じてつながっている稼動部４３が、筐体から抜けて落ちることはない。
【０２０１】
図５０（ｂ）は、図１１や図３５などに相当する場合であり、塗膜転写具を強く押圧した状態である。稼動部４３が弾発部４０内部に動いて入り込み、後退しきった状態である。
【０２０２】
図５０（ａ）の状態から、塗膜転写具を強く押圧すると、コイルばね４７が縮んで稼動玉４５が図面上側にある抵抗凸部４９に当たる。抵抗凸部４９は図のような傾斜を有しているので、そのまま押圧すると、弾性のある玉軸４６がたわんで、稼動玉４５が抵抗凸部４９を乗り越えて、図面上側へ移動する。
【０２０３】
稼動玉４５が抵抗凸部４９を乗り越えるときに、玉軸４６が稼動係止爪４８から離れて再び当たる。もしくは、稼動玉４５が筐体内部の天井に当たる。この時に、音や振動が発生する。これにより、使用者に了知することになる。また、強く押圧しているので、確実に塗膜を切断している状態でもある。ゆえに、明確に切断を了知させることができる。
【０２０４】
押圧するのを止めると、コイルばね４７の力によって、図面下側へ押し出されることになる。抵抗凸部４９は図のような傾斜を有しているので、弾性のある玉軸４６がたわんで、稼動玉４５が抵抗凸部４９を乗り越えて、図面下側へ移動する。そして、稼動係止爪４８によって稼動玉４５が係止されることになる。これにより、図５０（ｂ）の状態から図５０（ａ）の状態へ戻るものである。
【０２０５】
なお、筐体、稼動部４３、Ｕ字形状物などはそれぞれ、一体成型されたものであるとは限らず、複数の物を組み合わせてそれぞれの一体物となっていてもよい。図では、組み合わせたものであっても、一体物のように斜線を施した断面で表している。
【０２０６】
（参考例３）
参考例３は、参考例１の弾発部４０が異なるものである。その他は、参考例１と同じである。
【実施例９】
【０２０７】
実施例９は、実施例２の弾発部４０が異なるものである。その他は、実施例２と同じである。
【実施例１０】
【０２０８】
実施例１０は、実施例４の弾発部４０が異なるものである。その他は、実施例４と同じである。
【０２０９】
（参考例４）
参考例４は、参考例２の弾発部４０が異なるものである。その他は、参考例２と同じである。
【実施例１１】
【０２１０】
実施例１１は、実施例６の弾発部４０が異なるものである。その他は、実施例６と同じである。
【実施例１２】
【０２１１】
実施例１２は、実施例８の弾発部４０が異なるものである。その他は、実施例８と同じである。
【符号の説明】
【０２１２】
１    カートリッジ
２    基材テープ
３    転写テープ
４    繰出しリール
５    転写ヘッド
６    巻取りリール
７    平面板
８    接続板
９    繰出しリール中心軸
１０    巻取りリール中心軸
１１    テープガイド
１２    抑え壁
１３    保持部
１４    波形溝
１５    繰出しギア
１６    中間ギア
１７    円筒形コア
１８    接触部
２０    ケース
２１    本体
２２    蓋体
２３    開口部位
２４    ヒンジ軸
２５    係止溝
２６    係止爪
２７    係止解除突起
３０    長方形突部
３１    テーパ部
３２    被転写面
４０    弾発部
４１    嵌入溝
４２    嵌入爪
４３    稼動部
４４    当接面
４５    稼動玉
４６    玉軸
４７    コイルばね
４８    稼動係止爪
４９    抵抗凸部
５０    塗膜転写具
５１    塗膜
【図１】
0005825827.tif 000002
【図２】
0005825827.tif 000003
【図３】
0005825827.tif 000004
【図４】
0005825827.tif 000005
【図５】
0005825827.tif 000006
【図６】
0005825827.tif 000007
【図７】
0005825827.tif 000008
【図８】
0005825827.tif 000009
【図９】
0005825827.tif 000010
【図１０】
0005825827.tif 000011
【図１１】
0005825827.tif 000012
【図１２】
0005825827.tif 000013
【図１３】
0005825827.tif 000014
【図１４】
0005825827.tif 000015
【図１５】
0005825827.tif 000016
【図１６】
0005825827.tif 000017
【図１７】
0005825827.tif 000018
【図１８】
0005825827.tif 000019
【図１９】
0005825827.tif 000020
【図２０】
0005825827.tif 000021
【図２１】
0005825827.tif 000022
【図２２】
0005825827.tif 000023
【図２３】
0005825827.tif 000024
【図２４】
0005825827.tif 000025
【図２５】
0005825827.tif 000026
【図２６】
0005825827.tif 000027
【図２７】
0005825827.tif 000028
【図２８】
0005825827.tif 000029
【図２９】
0005825827.tif 000030
【図３０】
0005825827.tif 000031
【図３１】
0005825827.tif 000032
【図３２】
0005825827.tif 000033
【図３３】
0005825827.tif 000034
【図３４】
0005825827.tif 000035
【図３５】
0005825827.tif 000036
【図３６】
0005825827.tif 000037
【図３７】
0005825827.tif 000038
【図３８】
0005825827.tif 000039
【図３９】
0005825827.tif 000040
【図４０】
0005825827.tif 000041
【図４１】
0005825827.tif 000042
【図４２】
0005825827.tif 000043
【図４３】
0005825827.tif 000044
【図４４】
0005825827.tif 000045
【図４５】
0005825827.tif 000046
【図４６】
0005825827.tif 000047
【図４７】
0005825827.tif 000048
【図４８】
0005825827.tif 000049
【図４９】
0005825827.tif 000050
【図５０】
0005825827.tif 000051